(57)【特許請求の範囲】
【請求項１】
被塗装物に形成した塗膜の引っ張り強度を測定する治具であって、第１部材と第２部材が別体からなるとともに、上記第１部材が、平板と、この平板の上面に引っ張り強度測定機の測定軸に螺合する結合部とを具備し、上記第２部材が、上記塗膜に接着剤を介して固着する平面部と、上記第１部材の平板と連結及び脱着を繰り返し可能とする連結部とを具備し、
上記連結部は、下側に上記平面部を有する底板と、この底板の左右の両端縁に立設した立設片と、この立設片の上端に内側に折曲した折曲片とで形成されて内側に開口した溝を有し、
上記第１部材の平板の両端側面の略中央部に設けられ、その両端方向にバネ付勢された突片と、上記第２部材の立設片の内側壁面の略中央部に形成され、上記第１部材の突片と嵌合する凹部とから成る位置決め手段を更に具備し、
上記第１部材の平板の両端部を、上記第２部材の溝の前又は後方向より挿入するとともに、上記第１部材の突片を上記第２部材の凹部に嵌合することで、上記第１部材と上記第２部材とを所定の位置で連結することを特徴とする引っ張り強度測定用治具。
【請求項２】
上記第２部材が、下側に平面部を有する固着片からなり、その上部にネジ孔を形成するとともに、上記第１部材が平板に貫通孔を形成しており、この貫通孔を貫通して第２部材のネジ孔にネジでネジ止めすることで、第１部材を第２部材に連結することを特徴とする請求項１記載の引っ張り強度測定用治具。
【請求項３】
上記第２部材が、樹脂製材料で作製したものであることを特徴とする請求項１又は請求項２記載の引っ張り強度測定用治具。
【請求項４】
上記第２部材が、粗面化した平面部を有することを特徴とする請求項１乃至請求項３いずれか記載の引っ張り強度測定用治具。
【発明の詳細な説明】
【０００１】
【発明の属する技術分野】
本発明は、外壁等に形成した塗膜の付着力を測定するために、被塗装物の塗膜の引っ張り強度を測定する引っ張り強度測定用治具に関するものである。
【０００２】
【従来の技術】
塗膜の付着力を測定する測定試験としては、塗膜を形成した試験片を準備し、その塗膜に接着剤を介して鋼製の治具を接着させ、この治具を引っ張り測定機で引っ張る試験方法が知られている（例えば、特開平５−２４９０２８号公報、実開昭６３−７９５５７号公報等）。しかし、この測定方法では、測定が終わった後に、治具に接着した接着剤を剥がして行っている。また、複数の測定を連続的に行う場合、治具を複数準備して測定する必要がある。
【０００３】
【発明が解決しようとする課題】
一方、塗装の現場においては、外壁等に塗装した塗膜が下地に所定以上の強度以上に付着しているかを、現場で確認することが要望されている。そこで、塗装した現場で測定するため、ポータブル式の引っ張り測定機が提案されている。塗装現場では環境が一律でないため、上記測定は、塗装した数多くの箇所で測定することが求められる。そのため、上記測定に際しては、治具を複数準備して測定する必要がある。そこで、上記測定は、測定のたびに、治具を引っ張り測定機に取付けたり、取り外したりして測定することになるが、治具が塗膜及び接着剤に強固に付着している場合、取り外し等の測定作業に多大の時間を要するものになってしまう。
【０００４】
本発明は上記の事情に鑑みてなされたもので、その目的とするところは、塗膜を形成した被塗装物の塗膜の引っ張り強度を測定する際に、測定作業が容易にできる引っ張り強度測定用治具を提供することにある。
【０００５】
【課題を解決するための手段】
本発明者は、上記目的を達成するために、鋭意研究を重ねた結果、引っ張り強度測定用治具として、引っ張り強度測定機の測定軸に螺合する部材（第１部材と記す）と、塗膜に接着剤を介して固着される部材（第２部材と記す）とを別々に作製し、第２部材は、例えば、シート状の鋼板の両端縁を内側に折曲するような、単純な形状で消耗品として数多く準備するとともに、第１部材は繰返し使用して、例えば、第２部材の両端縁に形成した溝に第１部材の平板を挿入するようにして、上記第１部材と第２部材を連結及び脱着を容易にすることで測定作業が容易にできることを見出し、本発明の完成に至ったものである。
【０００６】
請求項１記載の引っ張り強度測定用治具は、被塗装物に形成した塗膜の引っ張り強度を測定する治具であって、第１部材と第２部材が別体からなるとともに、上記第１部材が、平板と、この平板の上面に引っ張り強度測定機の測定軸に螺合する結合部を具備し、上記第２部材が、上記塗膜に接着剤を介して固着する平面部と、上記第１部材の平板と連結及び脱着を繰り返し可能とする連結部とを具備することを特徴とする。上記によって、第１部材１と第２部材２とを別々に作製し、測定する毎にこれらを容易に連結して使用することができるので、第２部材２が単純な形状の消耗品として数多く準備することができるため、塗装現場において測定個所を数多く増すことが可能となるものである。
【０００７】
また、請求項１記載の引っ張り強度測定用治具は、上記第２部材が、下側に平面部を有する底板と、この底板の左右の両端縁に立設した立設片と、この立設片の上端に内側に折曲した折曲片を備えるとともに、これら底板、立設片、及び、折曲片とで形成されて内側に開口した溝を有し、上記第１部材の平板の両端側面の略中央部に設けられ、その両端方向にバネ付勢された突片と、上記第２部材の立設片の内側壁面の略中央部に形成され、上記第１部材の突片と嵌合する凹部とから成る位置決め手段を更に具備し、上記第１部材の平板の両端部を、上記第２部材の溝の前又は後方向より挿入するとともに、上記第１部材の突片を上記第２部材の凹部に嵌合することで、上記第１部材を上記第２部材の所定の位置で連結することができるものである。上記によって、引っ張り強度を測定した際に、測定にばらつきが生じることなく、精度良く測定ができるものである。
【０００９】
請求項２記載の引っ張り強度測定用治具は、請求項１記載の引っ張り強度測定用治具において、上記第２部材が、下側に平面部を有する固着片からなり、その上部にネジ孔を形成するとともに、上記第１部材が平板に貫通孔を形成しており、この貫通孔を貫通して第２部材のネジ孔にネジでネジ止めすることで、第１部材を第２部材に連結することを特徴とする。上記によって、上記測定用治具は、第１部材の平板を第２部材の固着片に、上側から重ね合せ、第１部材の貫通孔を第２部材のネジ孔の位置に位置合せし、ネジで止めることで、所定の位置で連結することができるものである。
【００１０】
請求項３記載の引っ張り強度測定用治具は、請求項１又は請求項２記載の引っ張り強度測定用治具において、上記第２部材が、樹脂製材料で作製したものであることを特徴とする。上記によって、第２部材を消耗品として、多量に且つ容易に作製し易くなるものである。
【００１１】
請求項４記載の引っ張り強度測定用治具は、請求項１乃至請求項３いずれか記載の引っ張り強度測定用治具において、上記第２部材が、粗面化した平面部を有することを特徴とする。上記によって、表面積が増加し、接着剤との接着力が増加するものである。
【００１２】
【発明の実施の形態】
図１〜２は、本発明の請求項１、２に対応する第１の実施の形態の一例を示し、図１は測定用治具の斜視図、図２は測定用治具の取付け状態を説明した概略断面図である。また、図３はポータブル式の引っ張り測定機の一例を示した斜視図である。
【００１３】
本発明の測定用治具は、外壁等の被塗装物１１に形成した塗膜１２の付着力を測定するために、塗膜１２の表面に接着してその引っ張り強度を測定する治具である。上記測定用治具は、引っ張り強度測定機に取付けられる第１部材１と、塗膜１２に接着剤１３を介して固着される第２部材２とを別体として有し、測定の際、第１部材１と第２部材２を連結するものである。
【００１４】
上記第１部材１は、平板３と、この平板３の中央であって上面に突き出した結合部４を備える。上記結合部４は、円筒状の上面が開口しており、開口した内部にネジ溝５が形成されている。上記第１部材１は、結合部４のネジ溝５と後述する引っ張り強度測定機２０の測定軸２１が螺合して、引っ張り強度測定機２０に取付けられるものである。
【００１５】
上記第２部材２は、シート状の底板６を備え、この底板６の下側に平面部１０を有している。上記平面部１０は、測定の際に、塗膜１２に接着剤１３を介して固着される面である。上記第２部材２は、底板６の左右方向の両端縁に立設した立設片７と、この立設片７の上端に内側に折曲した折曲片８とを備える。そして、上記第２部材２は、これら底板６、立設片７、及び、折曲片８とで、内側に開口した溝９を底板６の両端縁に形成している。上記第２部材２は、底板６、立設片７、及び、折曲片８とで第１部材１との連結部を構成している。汎用の引っ張り試験用の治具は、塗膜と接着する面積が１６ｃｍ2であるので、上記塗膜１２が固着される底板６の平面部１０は、その面積を１６ｃｍ2とすることが望ましい。
【００１６】
上記第１部材１は、その平板３の両端部を第２部材２の前または後側から溝９に挿入し、溝９内に摺動させて、第２部材２と連結することができるものである。また、測定が終了した際に、上記第１部材１は、その平板３を摺動させて、第２部材２から脱着をすることができるものである。上記第１部材１は、第２部材２と連結及び脱着を繰り返し可能とする。
【００１７】
また、上記第１部材１、及び、第２部材２は、その材質として鋼製のものを用いることができる。
【００１８】
上記測定用治具を利用する引っ張り強度測定機２０としては、図３に示すようなポータブル式のものが挙げられる。上記引っ張り強度測定機２０は、建研式接着力試験機の一種であり、塗膜１２の特定には容量が３０ｋｇｆ／ｃｍ2が適当である。上記引っ張り強度測定機２０は、アーチ状の固定台２２の上方に、シリンダを内蔵した箱体２３を備え、箱体２３の上部に回転ハンドル２４が設けられている。上記引っ張り強度測定機２０は、アーチ状の固定台２２のアーチ間に形成されている空間内中央に、上方からセンターシャフト２５が延設しており、センターシャフト２５の下端に測定軸２１が設けられている。上記引っ張り強度測定機２０は、上記センターシャフト２５が回転ハンドル２４に連動しており、上記回転ハンドル２４を操作することで、上記測定軸２１を第１部材１に螺合することができるものである。上記引っ張り強度測定機２０は、箱体２３の前方にポンプを内蔵したポンプ部２６と、その先端にハンドル２７を備える。上記引っ張り強度測定機２０は、箱体２３の後方に保持片２８を、箱体２３の横側に計測値を表示する表示器２９が設けられている。
【００１９】
上記測定用治具を用いた測定方法は、接着剤１３を介して上記第２部材２の平面部１０を塗膜１２上に接着する。上記接着剤１３は、例えば、二液形エポキシ樹脂接着材が挙げられる。上記測定方法は、第１部材１を第２部材２の溝９内に摺動させて連結する。その後、上記引っ張り強度測定機２０の固定台２２を被塗装物１１上に載置し、測定軸２１に上記第１部材１の結合部４を螺合して取付ける。次いで、上記測定法は、引っ張り強度測定機２０の保持片２８を片手で保持し、他方の手でゆっくりハンドル２７を１回転／１秒程度で回すと、測定用治具が上方へ引っ張られる。上記測定法は、破断するまで回し、その強度を測定する。なお、上記引っ張り強度測定機２０は、表示器２９のダイヤルが最大値で停止するようになっているので、そのときの表示器２９を読み取ることで、塗膜１２の付着力が測定できる。測定後に、上記測定法は、第１部材１を第２部材２から脱着する。そして、上記測定方法は、複数の第２部材２を準備し、接着剤１３を介してこれら第２部材２の平面部１０を塗膜１２上に接着しておき、順に、第１部材１を第２部材２に連結して繰返し測定をする。
【００２０】
上記測定用治具は、第１部材１と第２部材２とを別々に作製し、測定する毎にこれらを容易に連結して使用することができるので、第２部材２が単純な形状の消耗品として数多く準備することができるため、塗装現場において測定個所を数多く増すことが可能となるものである。上記測定用治具は、塗装の現場で数多くの箇所で測定をしても、作業が容易にできるものである。
【００２１】
図４は、本発明の請求項３に対応する第２の実施の形態の一例を示し、（ａ）は第１部材の斜視図、（ｂ）は第２部材を説明のため平面視で断面した断面図である。上記実施の形態と異なる点のみ説明する。
【００２２】
上記測定用治具は、第１部材１と第２部材２を連結する際に、精度良く測定するために、所定の位置で位置決めをする必要がある。上記測定用治具は、第１部材１の平板３の両端の側面３１の略中央部に突片３２を備える。上記突片３２は、外側及び内側にバネによって自在に滑動できるものである。一方、第２部材２は、立設片７の内側壁面３３であって、溝９内中央に位置するところに、上記突片３２を嵌合する凹部３４を形成している。上記測定用治具は、第１部材１の突片３２を第２部材２の凹部３４に嵌合することで、所定の位置で連結することができるものである。
【００２３】
図５〜６は、本発明の請求項３に対応する第３の実施の形態の一例を示し、図５は測定用治具の斜視図、図６は測定用治具の取付け状態を説明した概略断面図である。上記第１の実施の形態と異なる点のみ説明する。
【００２４】
上記測定用治具は、第１部材１と第２部材２を連結する際に、所定の位置で位置決めをするために、ネジ４１を用いるものである。上記測定用治具は、第１部材１の平板３の両端で、第２部材２の溝９に挿入される個所に、上方に開口したネジ孔４２が形成されている。また、第２部材２は、折曲片８に上下方向に貫通したネジ貫通孔４３が形成されている。上記測定用治具は、第１部材１の平板３を第２部材２の溝９に挿入し、第１部材１のネジ孔４２を第２部材２のネジ貫通孔４３の位置に位置合せし、ネジ４１で止めることで、所定の位置で連結することができるものである。
【００２５】
また、第１部材１と第２部材２を連結する際に、所定の位置で位置決めする方法は、上記第２及び第３の実施の形態に限定されるものではない。上記測定用治具は、例えば、第１部材１の平板３、及び、第２部材２の折曲片８にそれぞれ目印となる線を記入し、この線が一直線となるようにして、位置合わせすることもできる。
【００２６】
図７〜８は、本発明の請求項４に対応する第４の実施の形態の一例を示し、図７は測定用治具の斜視図、図８は測定用治具の取付け状態を説明した概略断面図である。上記第１の実施の形態と異なる点のみ説明する。
【００２７】
上記測定用治具は、第２部材２ａが第１部材１の平板３と平面視で略同一の形状をした平板状の固着片５３で形成されている。上記固着片５３は、下側全域が塗膜１２に接着剤１３を介して固着される平面部を形成している。また、上記測定用治具は、第１部材１と第２部材２ａを連結する際に、所定の位置で位置決めをするために、ネジ５１を用いる。上記測定用治具は、第１部材１の平板３で結合部４を中心に対象となる個所に、貫通孔５２が形成されている。そして、上記測定用治具は、第２部材２ａの固着片５３に、上方に開口したネジ孔５４が形成されている。上記測定用治具は、第１部材１の平板３を第２部材２ａの固着片５３に、上側から重ね合せ、第１部材１の貫通孔５２を第２部材２ａのネジ孔５４の位置に位置合せし、ネジ５１で止めることで、所定の位置で連結することができるものである。上記測定用治具は、引っ張り強度を測定した際に、測定にばらつきが生じることなく、精度良く測定ができるものである。
【００２８】
本発明の実施の形態は、上述の実施の形態に限定されるものではない。また、第２部材２は、塗膜１２以上の強度を有していれば、鋼製に限定されず、樹脂製材料で作製したものでもよい。第２部材２は、接着剤１３で接着されるため繰返し使用していると接着剤が剥がれ難くなったり、また、接着剤を剥がすに多大の時間を要することになるので、消耗品として安価に、且つ、多量に作製することが望まれている。そのためにも、第２部材２は、樹脂製材料で作製することで上記効果が発揮され易い。上記樹脂製材料としては、例えば、アクリル樹脂等が挙げられる。
【００２９】
また、上記第２部材２の平面部１０は、粗面化して用いると、表面積が増加し、接着剤との接着力が増加するので好ましい。
【００３０】
【発明の効果】
本発明の引っ張り強度測定用治具は、第１部材１と第２部材２とを別々に作製し、測定する毎にこれらを容易に連結して使用することができるので、塗装の現場で数多くの箇所で測定をしても、測定作業が容易である。
【図面の簡単な説明】
【図１】本発明の実施の形態の一例を示し、測定用治具の斜視図である。
【図２】同上の測定用治具の取付け状態を説明した概略断面図である。
【図３】ポータブル式の引っ張り測定機の一例を示した斜視図である。
【図４】本発明の他の実施の形態の一例を示し、（ａ）は第１部材の斜視図、（ｂ）は第２部材を説明のため平面視で断面した断面図である。
【図５】本発明の他の実施の形態の一例を示し、測定用治具の斜視図である。
【図６】同上の測定用治具の取付け状態を説明した概略断面図である。
【図７】本発明の他の実施の形態の一例を示し、測定用治具の斜視図である。
【図８】同上の測定用治具の取付け状態を説明した概略断面図である。
【符号の説明】
１      第１部材
２、２ａ  第２部材
３      平板
４      結合部
５      ネジ溝
６      底板
７      立設片
８      折曲片
９      溝
１０    平面部
１２    塗膜
１３    接着剤
２０    引っ張り強度測定機
２１    測定軸
【図１】
0004329284.tif 000002
【図２】
0004329284.tif 000003
【図３】
0004329284.tif 000004
【図４】
0004329284.tif 000005
【図５】
0004329284.tif 000006
【図６】
0004329284.tif 000007
【図７】
0004329284.tif 000008
【図８】
0004329284.tif 000009